(57)【要約】      （修正有）【課題】梁セパレータを取り付けて梁型枠の側枠を固定する際に、短時間で且つ安価に締め込むことのできる金具を提供する。【解決手段】セパレータの長さが梁幅の２分の１より３０ミリ以上長い２本のセパレータを梁の型枠間で二重に重ね、その幅が６０ミリ以上できれば十分に作業ができるＵ字型構成の梁セパロック金具であり、Ｕ字型構成の梁セパロック金具本体１のＵ字型開口部７の正面から、二重に重なった梁セパレータの側面を包み込み、次に大径上穴２から小径下穴３に、スクリュー突起荒ネジ１２の締付斜面軸１１を通して、六角頭部１４をボックスレンチで右回転すると、締付斜面軸１１が回転し締付斜面軸１１の側面で２本の梁セパレータがロックされて強力に固定される。【選択図】図２
2013139704.tif 000002
【特許請求の範囲】
【請求項１】
Ｕ字型構成の梁セパロック金具本体は、長方形の鉄板の長手方向の中央部を、使用するセパレータと同じサイズの半円形のＵ字型内壁の二枚間隔に折り曲げて固定、二枚に折り曲げた上下の鉄板の中央より左側の開口部寄りに、大径上穴と小径下穴の貫通穴の左穴淵が締付斜面軸の角度に固定、前記固定された上穴と下穴のサイズは、締付斜面軸の軸元の外径寸法より大きいサイズの上穴と下穴に固定、上穴と下穴の左半分の穴淵の突端が、スクリュー突起荒ネジの雌ネジであり、Ｕ字型構成のセパロック金具本体の一部に連結用の紐取付け部と穴が固定、Ｕ字型構成のセパロック金具本体のＵ字型開口部からＵ字型内壁の側面に、セパレータの側面をストレートで押し通されて接触される間隔の内部幅に固定、Ｕ字型構成の普通セパロック金具本体の場合は、Ｕ字型内壁の一方端に雌ネジ部材が固定、雌ネジ部材の内部に雌ネジとストッパ溝が固定されたＵ字型構成のセパロック金具本体であり、
スクリュー突起荒ネジの締付斜面軸は、軸元の一方に六角頭部が固定、六角頭部と軸元の間にネックが固定、ネックの際から軸元の一部が直に固定、直の際から軸の突先までが段々と細く締付斜面軸の角度に固定、前記、締付斜面軸の角度は、軸元の一部直の際から軸の突先までが、一目で目立つ状態の軸の傾斜角度の締付斜面軸に固定、締付斜面軸の外周にスクリュー突起荒ネジが固定、締付斜面軸の突先一部が無ネジ軸部に固定、無ネジ軸部の突先が三角に固定、スクリュー突起荒ネジの間隔幅は、Ｕ字型構成のセパロック金具本体の金具の厚みで、突起と突起の間の間隔幅が固定されてあり、上穴と下穴の左側の穴淵の突端が、スクリュー突起荒ネジの雌ネジであるために、Ｕ字型構成のセパロック金具本体と、締付斜面軸の間が連結用の紐で連結されて設置されてあり、
上記の製品の使用目的と製品の使い方、例えば、梁型枠の場合は、梁側の両側に、ピーコンだけが取り付けられて固定された所に、梁側の上の周囲全面にコンパネルでスラブが一面に張られて、スラブのコンパネルから梁側の上淵が釘付けで固定、次に、梁の中に梁鉄筋が先に組み込まれてから、梁鉄筋の上にスラブ鉄筋が碁盤型の二段に組み込まれた後の作業であるから、梁鉄筋とスラブ鉄筋の間に片腕だけを突っ込んで仕事する事は、中々大変な作業であり、本発明は、梁側の両側に固定されてあるピーコンの突先の雌ネジ孔に、普通のセパレータの一方端の雄ネジが、両側のピーコンの雌ネジ孔に螺合して固定、この場合のセパレータの長さは無関係であり残りのセパレータの一方端が、二重に重なり部分の長さが６０ミリ以上残れば十分であり、Ｕ字型構成の梁セパロック金具本体のＵ字型開口部から２本重なった状態の梁セパレータの側面を包み込んでストレートでＵ字型内壁の側面に押し込んで、締付斜面軸の側面で、２本重なった状態の梁セパレータの側面を、一気にＵ字型内壁に押し付けて強力に締め込み、その場で２本の梁セパレータが一気にロックされて強力に固定されるところが特徴であり、
前記記載のＵ字型構成の梁セパロック金具本体であり、２本重なった状態の梁セパレータの側面に、Ｕ字型開口部の正面から一気に入れ込んで２本のセパレータを包み込み、ストレートでＵ字型内壁の側面に押し込んで、Ｕ字型構成の梁セパロック金具本体の大径上穴から小径下穴の貫通穴内の左穴淵と右側は、二重に重なった状態の梁セパレータの左側面との間に、スクリュー突起荒ネジの締付斜面軸の無ネジ軸部を一気に上穴から下穴に挿し通して、六角頭部を押し込みながら右回転すると、締付斜面軸のスクリュー突起荒ネジの突起と突起の間の軸の左側突起の溝底面が、Ｕ字型構成のセパロック金具本体の上穴と下穴の、左穴淵の突端の雌ネジに設置、上穴と下穴の右穴淵と、締付斜面軸の間に空間が設けられてあり、上穴と下穴の左穴淵の突端が、スクリュー突起荒ネジの雌ネジであるために、締付斜面軸が右回転されると同時に、スクリュー突起荒ネジも右回転されて、締付斜面軸の無ネジ軸部の突先が、下穴に突き出た位置で、スクリュー突起荒ネジの締付斜面軸が、Ｕ字型構成の梁セパロック金具本体の上穴と下穴の左穴淵の雌ネジに設置されて、その儘の状態で六角頭部を右回転すると、２本の梁セパレータが、その場で一気にロックされて強力に固定される状態にされたところが特許とするところのＵ字型構成のセパロック金具本体とスクリュー突起荒ネジの締付斜面軸。
【請求項２】
請求項１から請求項２記載のＵ字型構成の梁セパロック金具本体とスクリュー突起荒ネジの締付斜面軸の突先無ネジ軸部が、Ｕ字型構成の梁セパロック金具本体の大径上穴から小径下穴に一気に挿し通されて設置されてある締付斜面軸の六角頭部に、ボックスレンジの工具を挿し込んで右回転すると、六角頭部が右回転されて、六角頭部の回転と同時に、スクリュー突起荒ネジの締付斜面軸が右回転されて、スクリュー突起荒ネジの突起と突起の間の左溝底面が、左穴淵の突先の雌ネジに接触されて右回転されながら下穴の中に深く進入されて、締付斜面軸の外周が傾斜角度の締付斜面軸に固定されてあるために、Ｕ字型構成の梁セパロック金具本体の大径上穴と小径下穴の、左穴淵の突先が締付斜面軸の角度に固定された雌ネジであるために、締付斜面軸のスクリュー突起荒ネジの突起と突起の間の軸の左側突起の溝底面が、上穴と下穴の左穴淵の突先の雌ネジに接触されて、上穴と下穴の左穴淵の突先が、雌ネジになって、締付斜面軸が右回転すると、上穴と下穴内の一方右側穴淵との間に、空間が設けられてあるために、２本の梁セパレータの側面が二重に重なって接触された状態で、六角頭部が右回転される事によって、締付斜面軸が下穴方向に深く進入されて、締付斜面軸の外周が段々と太くなり、締付斜面軸が上穴と下穴の左穴淵に安定されて、穴内の一方右横方向に太って、締付斜面軸の全体が、一方右横方向に押されて移動されるために、締付斜面軸の側面で、２本重なった状態の梁セパレータの側面が、Ｕ字型内壁の側面に強力に押し付けられて、２本重なった状態の梁セパレータが、その場でロックされて強力に固定されるところが特許とするＵ字型構成のセパロック金具本体とスクリュー突起荒ネジの締付斜面軸。
【発明の詳細な説明】
【技術分野】
【０００１】  本発明は、先に建て込んだ型枠の内部幅を後から固定する金具であり、両側の型枠に固定されてあるピーコンの突先の雌ネジ孔に、接続する２本のセパレータの一方端の雄ネジを両側のピーコンに螺合して固定、セパレータの他の一方端が二重に重なった位置の側面に、Ｕ字型構成のセパロック金具本体のＵ字型開口部の正面から、二重に重なってあるセパレータの側面に包み込んで、締付斜面軸の側面で一気に締付固定する金具である。【０００２】  締付斜面軸は、軸元の一方に六角頭部が固定された締付斜面軸であり、軸元の一部直の際から軸の突先までが、締付斜面軸の角度に固定、締付斜面軸の外周にスクリュー突起荒ネジが固定されて、締付斜面軸の突先一部が無ネジ軸部に固定されたスクリュー突起荒ネジの締付斜面軸である。
【背景の技術】
【０００３】  従来のセパレータを接続する目的の金具においては、雌ネジの筒状の金具の中に、接続する２本のセパレータの片方の雄ネジ軸同士を雌ネジの筒の中に螺合して、セパレータの雄ネジ同士を突き当てて１本化に連結して固定する方法もあるが、この接続方法は、接続するセパレータの長さに対して、１本１本の長さの制限がある。
【０００４】  一般に使われているセパレータ連結金具の構造的構成は、楕円形の筒状の構成で、楕円形の筒状の金具の中央部に楕円形の貫通穴を、又は、丸い貫通穴を開けて固定、この貫通孔に軸ピン通して、セパレータを接続するときは、楕円形の筒状の孔の中の軸ピンを芯にして、その芯の両側に接続するセパレータを互い違いに両方に孔口から挿し通して、両方のセパレータ共にセパレータの軸方向の前後にスライドして長さを決めて、芯にある軸ピンを強く押し込むか、又は引っ張り込むかで、製造メーカで変っているが、何れの方法においても、楕円形の筒状の孔内で接続する２本のセパレータを軸ピンで強くセパレータの間に割り込んで、両側にセパレータを押し広げて円形壁に、押し付けて固定されているが、このセパレータの固定方法は、セパレータとセパレータの間を広くすれば、それだけセパレータの接続金具が、セパレータの端部を引っ張る時に捩れて、セパレータが脆くなり切断される。
【０００５】  尚、従来のセパレータ接続金具関係においては、全てのセパレータが、孔の中に通されて、セパレータが固定されるものであり、セパレータ軸の横からセパレータ接続金具でセパレータを包み込んで、セパレータが固定される金具が従来では発見されないために、セパレータを接続する時間が、何かに於かれても非常に長い時間が掛かる事と、接続するセパレータの全長の寸法を測って決定して固定するまでの時間が非常に長く掛かる。その理由は、接続する２本のセパレータ共が、接続金具の中で前後に移動するからセパレータの長さを測る時に、基準的な物が無いから、何時まで経っても安定されないために中々合わせる事が難しいことである。
【０００６】  従来の軸ネジ関係においては、物を締め付けたり、緩めたりする事に於いては、全てのネジ関係が、ネジ軸の縦方向に右回転したり左回転したりして、物をネジ軸で締付けていたものである。
【発明の概要】
【発明が解決しようとする課題】
【０００７】  従来のセパレータ接続金具の構造的な構成で、２本のセパレータを１本に接続する時は、接続する２本のセパレータの間に軸ピンを割り込んで２本のセパレータを両側の接続金具の壁に強力に押し付けて、２本のセパレータを同時に固定されている。
以上の様な接続方法で、セパレータとセパレータの間に空間を設ける様な構造では、セパレータの両端部に強力な荷重を持たせて両方に引っ張った場合、セパレータが両方に引張られる強度に対して、セパレータの接続金具部分が捩れて、接続したセパレータに、十分な力を加える事が出来ないで、セパレータが切断される事がある。【０００８】  従来の梁セパレータは、梁型枠を組み立てて両側の梁側型枠にピーコンを取り付けて、梁側型枠の上は、周囲全面スラブを張ってから、鉄筋工事に入り、梁鉄筋とスラブ鉄筋工事が完了されてから、梁側に取り付けているピーコンの穴に、梁セパレータフック金具を捻じ込んでから、コの字型の梁セパレータの片方Ｌ型を梁セパレータフック金具の穴に挿し通して引っ掛けてから、残りのセパレータの一方端のＬ型も相手側の梁セパレータフック金具の穴に、前記と同じ要領で通して引っ掛ける事で、梁セパレータの１本の取り付けが完了されたことになるが、同じ前記の要領で１階分のスラブの梁に取り付ける梁セパレータの数量は、数百本の梁セパレータを取り付ける必要がある。【０００９】  但し、スラブの張り方作業によっては、梁幅寸法が多少の狂いができて、例えば、梁幅が５ｍｍ広がると、正規に注文したセパレータが短くなって使い物にならない。又は、その逆に梁幅が５ｍｍ狭くなった場合は、梁セパレータ軸を横に曲げて、コの字型梁セパレータの間隔幅を合わせて、梁セパレータフック金具の穴に通して引っ掛けて取り付けるのであるが、何れに於いても、梁鉄筋とスラブ鉄筋が完了された後の作業であるから、コの字型梁セパレータを、梁セパレータフック金具の孔に通して納めることは、中々完了するまでの作業が困難であり、手間の掛かる仕事である。【００１０】  建築工事の内、全体の工事においては、特に型枠工事は重要な工事であり、其の為に最初から型枠工事に関しては、工事の予算金額と１階１階の型枠の建て込みからコンクリートの打設する日程までが、工程に明らかに組み込まれている。
以上の様な事であるから、型枠の建て込みにおいては、特に予算を減額で、仕事が正確に早く先向きに仕事が進む様な事をしなければならないが、その様にするには、特に、型枠の建て込み関係に必要とされる型枠の金具関係が重要な問題である。
【課題を解決するための手段】
【００１１】  上記の目的を達するために本発明は、Ｕ字型構成のセパロック金具本体と、スクリュー突起荒ネジの締付斜面軸が設けて固定されてあり、Ｕ字型構成のセパロック金具本体（１）のＵ字型開口部（７）から、Ｕ字型内壁（６）の間は空間であり、２本のセパレータ軸（３０）の側面が、Ｕ字型開口部（７）からＵ字型内壁（６）の側面に、接触されてから、Ｕ字型構成のセパロック金具本体（１）の大径上穴（２）から小径下穴（３）の左穴淵の中に、締付斜面軸（１１）の無ネジ軸（１３）が挿し通されて、この時に初めて、Ｕ字型開口部（７）が、締付斜面軸（１１）で塞がれるものである。【００１２】  前記のＵ字型構成のセパロック金具本体（１）は、セパレータの長さには、関係なく接続する２本のセパレータ（３０）が二重に重なってダブった位置の側面に、Ｕ字型構成のセパロック金具本体（１）のＵ字型開口部（７）の正面から、接続する２本のセパレータ（３０）の側面に包み込んでストレートでＵ字型内壁（６）の側面に送り込んで接触させて、締付斜面軸（１１）の側面で一気にその場で接続する２本のセパレータ（３０）をロックされて強力に固定されるＵ字型構成のセパロック金具である。【００１３】  前記、Ｕ字型構成のセパロック金具本体については、長方形の鉄板の長手方向の中央から、セパレータ軸（３０）の半円形型（６）のＵ字型内壁の２枚に折り曲げて固定、Ｕ字型内壁の２枚に折り曲げて固定された鉄板の中央より開口部（７）側寄りに、大径上穴（２）と小径下穴（３）の貫通穴が固定、固定された大径上穴と小径下穴の左穴淵の突端が、締付斜面軸（１１）のスクリュー突起荒ネジ（１２）の雌ネジの代役であり、この左穴淵（２）と（３）が雌ネジの代役を果たされる事によって、締付斜面軸が、大いに活躍されて、Ｕ字型構成のセパロック金具本体と締付斜面軸が完成である。【００１４】  前記の締付斜面軸については、締付部材の軸元（１０）の一方に六角頭部（１４）が固定、六角軸と軸元の間に連結用の紐取り付け用のネック（１５）が固定、軸元（１０）の一部が直に固定、直の際から軸の突先にかけて傾斜角度の締付斜面軸（１１）が固定、締付斜面軸の外周にスクリュー突起荒ネジ（１２）が固定、斜面軸の突先一部が、無ネジ軸部（１３）に固定されてあり、スクリュー突起と突起の間隔は、Ｕ字型構成のセパロック金具本体の金具の厚みで、突起と突起の間隔幅が固定されるものである。【００１５】  以上の構造物が、Ｕ字型構成のセパロック金具本体（１）と、スクリュー突起荒ネジ（１２）の締付斜面軸の構造的な内容の説明であり、この製品の使用目的に付いての一部を簡単に説明すると、例えば、梁側の型枠については、梁側の型枠の組み立てが終了されたら、両側の同じ位置の梁側にピーコンが取り付けられて固定されると、直ぐに梁側の上淵の周囲全面にコンパネル板でスラブが張られて、梁側の上淵が、スラブ板に釘付けで完全に固定されて、スラブの上は、全面に鉄筋が、最初に梁鉄筋が組み込まれてから、次に続けてスラブの鉄筋がスラブ上一面に碁盤目に組み込まれて、鉄筋工事が完了されてから、梁セパレータを梁側に取り付けて固定する事であるが、全面に鉄筋が組み込まれた後の作業であるから、両側の梁側に��定してあるピーコンの雌ネジ孔に、正規の寸法の梁セパレータを取付けて固定する事は、中々難しい事である。【００１６】  然し、梁、スラブ共に一面に鉄筋が組み込まれた後の鉄筋と鉄筋の狭い隙間の間に、片腕を突っ込んで両方の梁側に固定されてあるピーコンの雌ネジ穴に、正規の長さのセパレータの雄ネジを螺合して固定することは、不可能である為に、本発明は、セパレータの長さには関係なく、適当の長さのセパレータの片端の雄ネジ（３１）を、それぞれの両側のピーコンの雌ネジ孔に螺合して固定、２本のセパレータ（３０）の一方端が二重に重なり合ってダブってある位置の側面に、Ｕ字型構成の梁セパロック金具本体（１）のＵ字型開口部（７）の正面から、二重に重なったセパレータの側面を包み込んで、Ｕ字型内壁（６）の側面に、セパレータ（３０）の側面を押し込んで、締付斜面軸（１１）の無ネジ軸（１３）を上穴（２）から下穴（３）に一気に挿し通して、締付斜面軸の六角頭部（１４）を右回転すると、二重に重なった２本のセパレータが、その場で一気にロックされて、強力に固定されるＵ字型構成のセパロック金具あるから、どんなに狭い開口部であっても、片腕が入れられる状態の開口部であれば、十分に作業ができるＵ字型構成の梁セパロック金具である。【００１７】  Ｕ字型構成の普通セパロック金具本体と、Ｕ字型構成の梁セパロック金具本体とでは、同じ構成の物であるが、唯一部違っている処は、Ｕ字型構成の普通セパロック金具本体の方は、Ｕ字型構成の梁セパロック金具以上に強度が必要とされるから、金具自体の鉄板の厚みと、Ｕ字型内壁（６）の一方上端に雌ネジ部材（２０）が固定されてある。
【発明の効果】
【００１８】  本発明のＵ字型構成のセパロック金具本体は、接続される２本のセパレータの接続部分を、二重に重ねて、セパレータとセパレータの側面同士を接触して、二重に重なった状態のセパレータの側面に、直接、Ｕ字型構成のセパロック金具本体のＵ字型開口部から、２本重ねた状態のセパレータの側面を包み込んで、ストレートでＵ字型内壁の側面に押し込んで、スクリュー突起荒ネジの締付斜面軸を、Ｕ字型構成のセパロック金具本体の上穴から下穴の左穴淵と、右はセパレータの左側面の間に一気に挿し通して、六角頭部を右回転すると、２本のセパレータが、その場で一気にロックされて強力に固定されるＵ字型構成のセパロック金具であり、締付斜面軸の外周は、スクリュー突起荒ネジであるから、軽く締め込んでも、締め込む速度が速くて、安定された締付工法のＵ字型構成のセパロック金具である。【００１９】  本発明のＵ字型構成のセパロック金具は、接続されたセパレータの牽引力が、従来の金具以上に強力であり、非常に優れた商品であるが、部品の数が２種類だけの商品であるために、生産コストが安価で生産される商品である。
尚、Ｕ字型構成のセパロック金具本体の大径上穴と小径下穴の左穴淵の突端が雌ネジの代役であるために、新たに雌ネジの生産をする必要がないため、その分、材料代と人件費が０円であり、国内生産されても、従来のセパレータ接続金具の販売価格以下で販売される事が可能であるうえに、図面上の寸法でセパレータの数量を割り出して、纏めて工場に注文されても、注文されたセパレータの長さ的寸法には、１本も無駄を出さない事が、この本発明のＵ字型構成のセパロック金具本体の特徴であり、例えば、他に現場内で残りのセパレータがあれば寸法には無関係で、例えば、セパレータの寸法が長ければ、セパレータを半分に切断してでもセパレータの一方端に雌ネジが固定されてあれば、全てのセパレータが使用されるものであり、本発明は、現在の不況な時代に於いて、仕事の早さと、商品の安価と経済的な事を本位として、優れて安定された構成の商品が提案されたものである。
【図面の簡単な説明】
【００２０】
【図１】は、Ｕ字型構成のセパロック金具本体の正面図とスクリュー突起荒ネジの締付斜面軸の側面図である。
【図２】は、Ｕ字型構成のセパロック金具本体に、２本重ねた状態のセパレータの側面を、Ｕ字型壁の側面に接触して、締付斜面軸の無ネジ軸部を上穴から下穴に挿し通したところの断面図である。
【図３】は、Ｕ字型セパロック金具本体に、２本のセパレータを締付斜面軸でロックして固定したところの断面図である。
【図４】は、Ｕ字型構成の普通セパロック金具本体のＵ字型内壁の側面に２本のセパレータの側面を囲んで、上穴から下穴に締付斜面軸の無ネジ軸部を挿し通したところの下穴方向か見たところの側面図であり、一部切断面図である。
【図５】は、Ｕ字型構成の梁セパロック金具本体のＵ字型内壁の側面に２本に重ねた梁セパレータの側面を囲んで、上穴から下穴に締付斜面軸の無ネジ軸部を挿し通したところの下穴方向から見たところの側面図であり、一部切断面図である。
【図６】は、Ｕ字型構成の普通セパロック金具本体の展開図である。
【図７】は、Ｕ字型構成の梁セパロック金具本体の展開図である。
【図８】は、Ｕ字型構成の普通セパロック金具本体をＵ字型内壁に折曲がったところの内部片面の展開図であり、一部断面図である。
【図９】は、Ｕ字型構成の梁セパロック金具本体をＵ字型内壁に折曲がったところの内部片面の展開図であり、一部断面図である。
【図１０】は、セパレータの側面図である。
【発明を実施するための形態】
【００２１】  本発明の目的を達する為に、Ｕ字型構成のセパロック金具本体は、２ミリー３ミリ程度の厚みの鉄板を４０ミリ×７０ミリ程度の長方形に切断して、長手方向の中央部から使用されるセパレータの半円形のＵ字型の二枚に折り曲げて、Ｕ字型内壁に折り曲げた鉄板の端部の開口部の間隔は、使用される丸軸セパレータの側面からＵ字型内壁の側面にストレートでセパレータの側面を押し通される程度の間隔に固定、Ｕ字型内壁に折り曲げた鉄板の中央部より左寄りに、スクリュー突起荒ネジの締付斜面軸を挿し通す大径上穴と小径下穴の貫通穴が固定、セパレータの側面が２本重なった状態の儘で、Ｕ字型開口部からＵ字型内壁の側面に接触されるまで押し込んで、スクリュー突起荒ネジの締付斜面軸が大径上穴から小径下穴に一気に挿し通されて、六角頭部を右回転して締付斜面軸の側面とＵ字型内壁の側面の間にセパレータの側面が二本重なった状態の儘でロックされて強力に固定されるところのＵ字型構成のセパロック金具である。
【実施例】
【００２２】  以下、本発明の実施の形態の添付図面を参照して説明する。
［図１］は、本発明のＵ字型構成のセパロック金具である。
（１）Ｕ字型構成のセパロック金具本体。（２）上穴。（３）下穴。（３Ａ）下穴の左穴淵の突先雌ネジ。（４）紐の取付け部。（５）紐通し穴。（６）Ｕ字型内壁。（７）開口部の入口。（１０）締付斜面軸の軸元。（１１）締付斜面軸。（１２）スクリュー突起荒ネジ。（１３）斜面軸の無ネジ軸部。（１４）六角頭部。（１５）軸元の際のネック。（１６）連結用の紐である。【００２３】［図２］は、Ｕ字型構成のセパロック金具本体（１）に、２本のセパレータ（３０）が、セットされてあり、締付斜面軸（１１）の無ネジ軸部（１３）を上穴（２）から下穴（３）に挿し通したところの断面図である。
（１）Ｕ字型構成のセパロック金具本体。（２）上穴。（３）下穴。（４）紐取付け部。（５）紐通し穴。（６）Ｕ字型内壁。（７）Ｕ字型開口部。（１０）軸元。（１１）締付斜面軸。（１２）突起ネジ。（１３）無ネジ軸部。（１４）六角頭部。（１５）ネック。（１６）連結用の紐。（１７）スクリュー突起荒ネジの溝底面。（３０）セパレータ。５−６はスクリュー突起荒ネジの突起と突起の間隔幅である。【００２４】［図３］は、Ｕ字型セパロック金具本体に、２本のセパレータを包み込んで、締付斜面軸で締付固定したところの断面図である。
（１）Ｕ字型セパロック金具本体。（２）上穴。（２Ａ）上穴の左穴淵の突端雌ネジ。（２Ｂ）上穴の右穴淵。（３）下穴。（３Ａ）下穴の左穴淵の突端雌ネジ。（１０）締付斜面軸の軸元。（１１）斜面軸。（１２）スクリュー突起荒ネジ。（１３）無ネジ軸部。（１４）六角頭部。（３０）セパレータ軸部である。
（１４）六角頭部の正面である。【００２５】［図４］は、Ｕ字型構成の普通セパロック金具本体（１）に、２本のセパレータ（３０）がセットされて、締付斜面軸（１１）の無ネジ軸部（１３）を上穴（２）から、下穴（３）に挿し通されたところの裏側から見たところの側面図であり、一部断面図である。
（１）Ｕ字型構成のセパロック金具本体。（３）下穴。（３Ａ）下穴の左穴淵の突端雌ネジ（６）Ｕ字型内壁。（１３）無ネジ軸部。（３０）セパレータの軸部。（３１）雄ネジ。（３２）ストッパ。（３３）ネックである。【００２６】［図５］は、Ｕ字型構成梁のセパロック金具本体（１）に、２本のセパレータ（３０）がセットされて、締付斜面軸（１１）の無ネジ軸部（１３）を上穴（２）から、下穴（３）に挿し通されたところの裏側から見たところの側面図であり、一部断面図である。
（１）Ｕ字型構成の梁セパロック金具本体。（３）下穴。（３Ａ）下穴の左穴淵の突端雌ネジ。（６）Ｕ字型内壁。（１３）無ネジ軸。（３０）セパレータの軸部。（３１）雄ネジ。（３２）ストッパ。（３３）ネックである。【００２７】［図６］は、Ｕ字型構成の普通セパロック金具本体の展開図である。
（１）Ｕ字型構成の普通セパロック金具本体。（２）大径上穴。（３）小径下穴。（４）連結用の紐取り付け部。（２１）雌ネジ溝。（２２）ストッパ溝。（２３）ネックである。【００２８】［図７］は、Ｕ字型構成の梁セパロック金具本体の展開図である。
（１）Ｕ字型構成の梁セパロック金具本体。（２）大径上穴。（２Ａ）上穴の左穴淵の突端雌ネジ。（２Ｂ）上穴の右穴淵。（３）下穴。（３Ａ）下穴の左穴淵の突端雌ネジ。（３Ｂ）下穴の右穴淵。（５）連結用の紐取り付け部である。【００２９】［図８］は、Ｕ字型構成の普通セパロック金具本体の片面内部の一部断面図である。
（１）Ｕ字型構成の普通セパロック金具本体。（２）大径上穴。（２Ａ）上穴の左穴淵の突端雌ネジ。（２Ｂ）上穴の右穴淵。（４）連結用の紐取り付け部。（６）Ｕ字型内壁の断面。（２０）雌ネジ部材。（２１）雌ネジ溝。（２２）ストッパ溝。（２３）ネックである。【００３０】［図９］は、Ｕ字型構成の梁セパロック金具本体の片面内部の一部断面図である。
（１）Ｕ字型構成の梁セパロック金具本体。（２）大径上穴。（２Ａ）上穴の左穴淵の突端雌ネジ。（４）連結用の紐取り付け部。（６）Ｕ字型内壁の断面である。【００３１】［図１０］は、セパレータの側面図である。
（３０）セパレータ軸。（３１）雄ネジ。（３２）ストッパ。（３３）ネックである。【００３２】  ［請求項１］
Ｕ字型構成の梁セパロック金具本体は、長方形の鉄板の長手方向の中央部を、使用する丸軸セパレータと同じサイズの半円形のＵ字型内壁（６）の二枚の間隔に折り曲げて固定、二枚に折り曲げた上下の鉄板に中央より左側の開口部（７）寄りに、大径上穴（２）と小径下穴（３）の貫通穴が固定、固定された穴の左穴淵の突端（２Ａ）と（３Ａ）は、締付斜面軸（１１）の角度であり、前記固定された上穴（２）と下穴（３）のサイズは、締付斜面軸の軸元（１０）の外径寸法より大きいサイズの上穴と下穴が固定、上穴と下穴の左半分の穴淵の突端（２Ａ）と（３Ａ）が、スクリュー突起荒ネジ（１２）の雌ネジであり、Ｕ字型構成のセパロック金具本体（１）の一部に連結用の紐取付け部（４）と穴（５）が固定、Ｕ字型構成のセパロック金具本体のＵ字型開口部（７）からＵ字型内壁（６）の側面に、セパレータ（３０）の側面をストレートで押し通されて接触される間隔の内部幅（７）が固定、Ｕ字型構成の普通セパロック金具本体の場合は、Ｕ字型内壁の一方端に雌ネジ部材（２０）が固定、雌ネジ部材の内部に雌ネジ（２１）とストッパ溝（２２）が固定されたＵ字型構成のセパロック金具本体であり、【００３３】  スクリュー突起荒ネジ（１２）の締付斜面軸（１１）は、軸元（１０）の一方に六角頭部（１４）が固定、六角頭部と軸元の間にネック（１５）が固定、ネックの際から軸元の一部が直に固定、直（１０）の際から軸の突先（１３）までが段々と細く締付斜面軸（１１）の角度に固定、前記、締付斜面軸の角度は、軸元の一部直の際から軸の突先までが、一目で目立つ状態の軸の傾斜角度の締付斜面軸（１１）が固定、締付斜面軸の外周にスクリュー突起荒ネジ（１２）が固定、締付斜面軸（１１）の突先一部が無ネジ軸部（１３）に固定、無ネジ軸部の突先を三角に固定、スクリュー突起荒ネジの間隔幅は、Ｕ字型構成のセパロック金具本体（１）の金具の厚みで、突起と突起（１２）の間の間隔幅が、雌ネジ関係で固定されるものであり、上穴と下穴の左側の穴淵の突端が、スクリュー突起荒ネジの雌ネジであるために、Ｕ字型構成のセパロック金具本体と締付斜面軸の間が連結用の紐（１６）で連結されて設置されてある。【００３４】  上記の製品の使用目的と製品の使い方、例えば、梁型枠の場合は、梁側の両側に、ピーコンだけが取付けられて固定されてあり、梁側の上の周囲全面にコンパネルでスラブが一面に張られて、スラブのコンパネルから梁側の上淵が釘付けで固定、次に、梁の中に梁鉄筋が先に組み込まれてから、梁鉄筋の上にスラブ鉄筋が碁盤型の二段に組み込まれた後の作業であるから、梁鉄筋とスラブ鉄筋の間に片腕だけを突っ込んで仕事する事は、中々大変な作業であり、本発明は、梁側の両側に固定されてあるピーコンの突先の雌ネジ孔に、普通のセパレータの一方端の雄ネジが、両側のピーコンの雌ネジ孔に螺合して固定、この場合のセパレータ（３０）の長さは無関係であり残りのセパレータの一方端が、二重に重なり部分の長さが６０ミリ以上残れば十分に作業がされるのであり、Ｕ字型構成の梁セパロック金具本体（１）のＵ字型開口部（７）の正面から、２本重なった状態の梁セパレータ（３０）の側面を包み込んで、ストレートでＵ字型内壁（６）の側��に押し込んで、締付斜面軸（１１）の側面で、２本重ねた状態の梁セパレータ（３０）の側面を、一気にＵ字型内壁（６）に押し付けて強力に締め込み、その場で２本の梁セパレータが一気にロックされて強力に固定されることが特徴であり、【００３５】  前記記載のＵ字型構成の梁セパロック金具本体（１）であり、２本重なった状態の梁セパレータの側面に、Ｕ字型開口部の正面から一気に包み込んで、ストレートで、Ｕ字型内壁の側面に押し込んで、Ｕ字型構成の梁セパロック金具本体（１）の大径上穴（２）から小径下穴（３）の貫通穴内の左穴淵（２Ａ）と右側は二重に重なった状態の梁セパレータ（３０）の左側の側面との間に、スクリュー突起荒ネジの締付斜面軸の無ネジ軸部（１３）を一気に上穴（２）から下穴（３）の左穴淵（２Ａ）に挿し通して、六角頭部（１４）を押し込みながら右回転すると、締付斜面軸（１１）のスクリュー突起荒ネジ（１２）の突起と突起の間の軸の左側突起の溝底面（１７）が、Ｕ字型構成のセパロック金具本体の上穴と下穴の、左穴淵の突先に接触されて設置、上穴と下穴の右穴淵と、締付斜面軸の間に空間が設けられてあり、上穴（２）と下穴（３）の左穴淵の突先（２Ａ）と（３Ａ）が、スクリュー突起荒ネジの雌ネジであるために、締付斜面軸が右回転されると同時に、スクリュー突起荒ネジ（１２）も右回転されて、締付斜面軸（１１）の無ネジ軸部（１３）の突先無ネジ軸部（１３）が、下穴に突き出た位置で、スクリュー突起荒ネジ（１２）の締付斜面軸（１１）が、Ｕ字型構成の梁セパロック金具本体（１）の上穴（２）と下穴（３）の左穴淵（２Ａ）と（３Ａ）の雌ネジに設置されて、その儘の状態で六角頭部（１４）を右回転すると、２本の梁セパレータ（３０）が、その場で一気にロックされて強力に固定される状態にされたところが特許とするところのＵ字型構成のセパロック金具本体とスクリュー突起荒ネジの締付斜面軸。【００３６】  ［請求項２］
請求項１から請求項２記載のＵ字型構成の梁セパロック金具本体（１）とスクリュー突起荒ネジ（１２）の締付斜面軸（１１）の突先の無ネジ軸部（１３）が、Ｕ字型構成の梁セパロック金具本体（１）の大径上穴（２）から小径下穴（３）に一気に押し通されて、設置されてある締付斜面軸の六角頭部（１４）に、ボックスレンジの工具を挿し込んで、右回転すると、六角頭部（１４）が右回転されて、六角頭部の回転と同時に、スクリュー突起荒ネジ（１２）の締付斜面軸が右回転されて、スクリュー突起荒ネジの突起（１２）と突起（１２）の間の左溝底面（１７）が、左穴淵（２Ａ）と（３Ａ）の突先の雌ネジに接触されて、右回転されながら下穴（３）の中に深く進入されて、締付斜面軸の外周が、傾斜角度の締付斜面軸（１１）に固定されてあるために、Ｕ字型構成の梁セパロック金具本体（１）の大径上穴（２）と小径下穴（３）の、左穴淵（２Ａ）と（３Ａ）の突先が締付斜面軸（１１）の角度に固定されて雌ネジであるために、締付斜面軸（１１）のスクリュー突起荒ネジ（１２）の突起と突起の間の軸の左側突起の溝底面（１７）が、上穴と下穴の左穴淵（２Ａ）と（３Ａ）の突先の雌ネジに接触されて、上穴（２）の左穴淵（２Ａ）と下穴（３）の左穴淵（３Ａ）の突先が、雌ネジになって、締付斜面軸（１１）が右回転すると、上穴と下穴内の一方右穴淵（２Ｂ）と（３Ｂ）の間に、空間が設けられてあるために、２本の梁セパレータ（３０）の側面が二重に重なって接触された状態で、六角頭部（１４）が右回転される事によって、締付斜面軸（１１）が、下穴方向に深く進入されて、締付斜面軸（１１）の外周が段々と太くなり、締付斜面軸が、上穴（２）と下穴（３）内の一方右横方向に太って、締付斜面軸の全体が、一方右横方向に押されて移動されるために、締付斜面軸の側面で、２本に重なった状態の梁セパレータ（３０）の側面が、Ｕ字型内壁（６）の側面に強く押し付けられて、２本重なった状態の梁セパレータ（３０）が、その場でロックされて、強力に固定されるところが特許とするＵ字型構成のセパロック金具本体とスクリュー突起荒ネジの締付斜面軸。
【産業所の利用可能性】
【００３７】  本発明のＵ字型構成のセパロック金具本体は、従来のセパレータの接続金具の様に、セパレータを接続する時に、セパレータの接続金具の内部の貫通孔内に、接続する２本のセパレータの端部から、セパレータを挿し通して前後にスライドして、セパレータの総長さが位置した所で、セパレータとセパレータの側面の間にピンを割り込んで、セパレータの軸方向の流れが固定されていたが、本発明のＵ字型構成のセパレータロック金具本体は、最初から接続する２本のセパレータの側面の中央部を二重に重ね合わせて、セパレータの総長さが位置されると、二重に重なり合った状態のままで、セパレータの側面に、Ｕ字型構成のセパロック金具本体のＵ字型開口部の正面から、２本重なった状態のセパレータの側面を包み込んで、一気にＵ字型内壁の側面に押し込んで、スクリュー突起荒ネジの締付斜面軸の側面で、２本重なった状態のセパレータの側面を一気に締付固定するスクリュー突起あらねじの締付斜面軸を利用したＵ字型構成のセパロパロック金具本体の中で、スクリュー突起荒ネジの締付斜面軸の側面で締め込む力が強力であり締め込む速度も速いために、それだけ仕事も早く終了される事が望めるＵ字型構成のセパロック金具である。
【符号の簡単な説明】
【００３８】１は、Ｕ字型構成のセパロック金具本体。
２は、大径上穴。
２Ａは、上穴の左穴淵の突端雌ネジ。
２Ｂは、上穴の右穴淵。
３は、小径下穴。
３Ａは、下穴の左穴淵の突端雌ネジ。
３Ｂは、下穴の右穴淵。
４は、連結用紐取り付け部。
５は、紐通し穴。
６は、Ｕ字型内壁。
７は、Ｕ字型開口部。
１０は、軸元。
１１は、締付斜面軸。
１２は、スクリュー突起荒ネジ。
１３は、無ネジ軸部。
１４は、六角頭部。
１５は、ネック。
１６は、連結用紐。
１７は、スクリュー突起荒ネジの溝底面。
２０は、雌ネジ部材。
２１は、雌ネジ溝。
２２は、ストッパ溝。
２３は、セパレータのネック位置。
３０は、セパレータの軸部。
３１は、雄ネジ。
３２は、ストッパ山。
３３は、セパレータのネック。
３５は、セパレータ軸とセパレータ軸の間隔隙間。
５−６は、スクリュー突起荒ネジの突起−突起の間隔幅。
【図１】
2013139704.tif 000003
【図２】
2013139704.tif 000004
【図３】
2013139704.tif 000005
【図４】
2013139704.tif 000006
【図５】
2013139704.tif 000007
【図６】
2013139704.tif 000008
【図７】
2013139704.tif 000009
【図８】
2013139704.tif 000010
【図９】
2013139704.tif 000011
【図１０】
2013139704.tif 000012
【手続補正書】
【提出日】平成24年4月18日(2012.4.18)
【手続補正１】
【補正対象書類名】特許請求の範囲
【補正対象項目名】全文
【補正方法】変更
【補正の内容】
【特許請求の範囲】
【請求項１】
Ｕ字型構成のセパロック金具本体の構造は、一枚の長方形の鉄板の長手方向の中央から、使用するセパレータ軸の側面を内部にストレートで通せる間隔幅のＵ字型開口部の二枚間隔幅に折り曲げて固定、二枚間隔幅に折り曲げた鉄板の中央より左寄りに、上穴と下穴の貫通穴が、締付斜面軸の傾斜角度に設けて固定、前記、固定された上穴と下穴のサイズは、上穴の方が、締付斜面軸の軸元のサイズより僅かに大きいサイズであり、下穴のサイズは、上穴より僅かに小さいサイズにして、上穴と下穴の穴淵の左突端が、締付斜面軸の傾斜角度に固定、上穴と下穴の穴淵の左半分の突端が、スクリュー突起荒ネジの雌ネジの働きであり、上穴と下穴の穴淵の右半分の突端が、締付斜面軸全体が下穴方向に進入する時に締付斜面軸の外周が段々と傾斜角度に太くなり、穴淵の左突端に、締付斜面軸の左の窪み荒ネジが接触されて、締付斜面軸の左側面が、上下の穴淵の左突端に位置されるために、締付斜面軸の全体が、上下の穴淵の左突端に圧されて一方右横方向に移動する時のための空間穴であり、Ｕ字型構成のセパロック金具本体の一部に連結用の紐取付け部と穴が設けて固定、Ｕ字型構成のセパロック金具本体とスクリュー突起荒ネジの締付斜面軸は、連結用の紐でセットされてあり、
スクリュー突起荒ネジの締付斜面軸の構造は、軸元の一方端に六角頭部が固定、六角頭部の際にネックを設けて、ネックの際から軸先に向けて、軸元の一部が直に固定、直の際から締付斜面軸の突先までが、段々と細く傾斜角度の締付斜面軸に固定、締付斜面軸の外周に、スクリュー突起荒ネジが固定、締付斜面軸の突先一部を無ネジ軸部に固定されたスクリュー突起荒ネジの締付斜面軸であり、
前記、Ｕ字型構成のセパロック金具本体で、例えば、梁側の型枠を固定する時に、使用する場合は、型枠の梁幅及びセパレータの寸法には、全く無関係であり、両側の梁側に固定されたピーコンの雌ネジ孔に、それぞれに適当の長さの一本のセパレータの一方端の雄ネジを雌ネジ孔に螺合して固定、両側の梁側から、向き合って梁幅方向の中央に延びる２本のセパレータの重なり部分に、Ｕ字型構成のセパロック金具本体のＵ字型開口部から、一気に２本のセパレータの側面を包み込んで、Ｕ字型空洞内壁の側面に、２本のセパレータの側面をストレートで押し込んで、Ｕ字型構成のセパロック金具本体の上穴から下穴の穴淵の左突端と、右は、セパレータ軸の左側面との間の貫通穴内に、締付斜面軸の突先無ネジ軸部を、上穴から下穴に挿し通して、六角頭部を右回転すると、スクリュー突起荒ネジ軸の左の窪みネジ面が、Ｕ字型構成のセパロック金具本体の上穴淵と下穴淵の左突端に接触して設置、締付斜面軸の右面が、セパレータ軸の左側面に接触して設置、スクリュー突起荒ネジの締付斜面軸が、Ｕ字型構成のセパロック金具本体の上穴から下穴に設置されているところを特徴とするところのＵ字型構成のセパロック金具本体であり、
前記、スクリュー突起荒ネジの締付斜面軸の六角頭部に、ボックスレンジの工具を挿し込んで右回転すると同時に、締付斜面軸の全体が右回転されて、Ｕ字型構成のセパロック金具本体の上穴と下穴の穴淵の左突端に、スクリュー突起荒ネジ軸の左の窪みネジ面が接触されて、締付斜面軸の右面は、セパレータ軸の左側面に接触して、締付斜面軸が右回転されながら下穴方向に深く進入されると同時に、締付斜面軸の外周が段々と傾斜角度に太くなり、Ｕ字型構成のセパロック金具本体の上穴と下穴の穴淵の左突端に、スクリュー突起荒ネジ軸の左の窪みネジ面が接触されて、上穴と下穴の穴淵の左突端に圧されて、締付斜面軸の全体が、一方右横方向に圧されて移動されるために、締付斜面軸の右面は、セパレータ軸の左側面に接触されているから２本のセパレータが、一方右横方向のＵ字型空洞内壁の側面に押されて、２本のセパレータが一つに接触された状態で、Ｕ字型構成のセパロック金具本体のＵ字型内壁の側面に、スクリュー突起荒ネジの締付斜面軸の右側面で、２本のセパレータの左側面を右方向に強力に押し付けられるため、２本のセパレータ軸が、スクリュー突起荒ネジの締付斜面軸の右側面と、Ｕ字型内壁の側面との間に強力に挟まれて、２本のセパレータの側面同士が一つに接触して固定されて、その場で２本のセパレータがロックされて、現状の梁幅の状態で、容易に型枠が固定されるところを特徴とするところのＵ字型構成のセパロック金具本体とスクリュー突起荒ネジの締付斜面軸。
【手続補正書】
【提出日】平成24年4月20日(2012.4.20)
【手続補正１】
【補正対象書類名】特許請求の範囲
【補正対象項目名】全文
【補正方法】変更
【補正の内容】
【特許請求の範囲】
【請求項１】
Ｕ字型構成のセパロック金具本体をＡとしての説明、Ａは、一枚の長方形の鉄板の長手方向の中央から左向きに、Ｕ字型の二枚間隔幅に折り曲げて固定、Ｕ字型に折り曲げた鉄板の内部幅は、使用されるセパレータ軸の軸面をストレートでＵ字型内壁の側面に通して接触される内部の二枚間隔幅に固定、Ｕ字型鉄板の中央より左寄りの上下鉄板に、締付斜面軸ネジを挿し通す貫通穴が固定、貫通穴のサイズは上穴が、締付斜面軸ネジの軸元の外径より僅かに大きいサイズであり、下穴は上穴より僅かに小さい傾斜角度の穴に固定、上穴と下穴の穴淵の左半分の突端がスクリュー突起荒ネジの雌ネジの働きであり、上穴と下穴の穴淵の右半分の突端が、締付斜面軸全体が、下穴方向と右横方向に移動する時の余穴であり、Ａの一部に連結用の紐通し部と穴が固定、
スクリュー突起荒ネジの締付斜面軸ネジをＢとしての説明、Ｂは、軸元の一方端に六角頭部が固定、六角頭部の際にネックを設けて、ネックの際から軸先に向いて、軸元の一部が直に固定、直の際から締付斜面軸ネジの突先までが、段々と細く傾斜角度の締付斜面軸ネジに固定、締付斜面軸の外周ネジは、スクリュー突起荒ネジが固定されてあり、締付斜面軸ネジの突先一部を無ネジ軸部に固定されて、ＡとＢは、連結用の紐で連結されてセットされてあり、
前記、（Ｕ字型構成のセパロック金具本体）Ａの金具本体で、例えば、梁側の型枠及び箱型の型枠の様に、型枠の内面同士が、間隔を離れて向き合った型枠の内部面にピーコンだけが取付けられて、型枠の外部は完全にパイプ締めで固定されてから、型枠の内部に鉄筋が完全に組み込まれて、現状の形の状態でコンクリートを打設される場合は、
型枠の内部幅及び、使用するセパレータの寸法には、全く無関係であり、向き合う型枠の内部幅の２分の１以上の長さのセパレータの一方端の雄ネジを、両側の型枠のピーコンの雌ネジ孔に螺合して固定、両側の型枠から、内部の中央に伸びるセパレータの一方端が二重にダブって重なった位置のセパレータの軸面に、Ａの金具本体のＵ字型開口部から、二重に重なった状態の２本のセパレータの軸面を一気に包み込んで、ストレートでＵ字型内壁の側面に押し付けて、Ａの金具本体の上穴から下穴の穴淵の左突端と、右は、セパレータ軸の左軸面との間の貫通穴内に、Ｂの締付斜面軸ネジの突先無ネジ軸部を、Ａの上穴から下穴に挿し通して、Ｂの六角頭部を右回転すると、スクリュー突起荒ネジ軸の左の窪みネジ面が、Ａのセパロック金具本体の上穴と下穴の穴淵の左突端にＢの荒ネジ軸の左の窪みネジ面が接触して設置、締付斜面軸ネジの右面が、セパレータ軸の左軸面に接触されて設置、Ｂの締付斜面軸ネジが、Ａのセパロック金具本体の上穴から下穴に設置されているところを特徴とするところのＵ字型構成のセパロック金具本体であり、
前記、（スクリュー突起荒ネジの締付斜面軸ネジ）Ｂの六角頭部に、ボックスレンジの工具を挿し込んで右回転すると同時に、締付斜面軸ネジの全体が右回転されて、Ａのセパロック金具本体の上穴と下穴の穴淵の左突端に、Ｂの締付斜面軸ネジの左の窪みネジ面が接触して位置し、スクリュー突起荒ネジの締付斜面軸ネジの右面は、セパレータ軸の左軸面に接触して、スクリュー突起荒ネジの締付斜面軸ネジが、右回転されながら下穴方向に深く進入されると同時に、スクリュー突起荒ネジの締付斜面軸ネジの外周が段々と締付斜面軸ネジの傾斜角度に太くなり、Ａのセパロック金具本体の上穴と下穴の穴淵の左突端に、Ｂの締付斜面軸ネジの左の窪みネジ面が接触して位置されるから、
Ａの上穴と下穴の穴淵の左突端で、Ｂの締付斜面軸ネジの左軸面を圧されて、スクリュー突起荒ネジの締付斜面軸の全体が、一方右横方向に圧されて移動されるために、スクリュー突起荒ネジの締付斜面軸ネジの右面は、セパレータ軸の左軸面に接触されているから、２本のセパレータが一方右横方向のＡのＵ字型空洞内壁の側面に押し付けられて、２本のセパレータが一つに接触された状態で、Ｕ字型構成のセパロック金具本体のＵ字型内壁の側面に、Ｂのスクリュー突起荒ネジの締付斜面軸の右軸面で、２本のセパレータの左軸面を右方向に強力に押し付けるため、２本のセパレータ軸が、スクリュー突起荒ネジの締付斜面軸ネジの右軸面と、ＡのＵ字型内壁の側面との間に強力に挟まれて、２本のセパレータの軸面同士が一つに接触して固定されて、その場で２本のセパレータがロックされて、現状の型枠の状態で、容易に型枠が固定されるところを特徴とするところのＵ字型構成のセパロック金具本体とスクリュー突起荒ネジの締付斜面軸ネジ。
【手続補正書】
【提出日】平成24年4月23日(2012.4.23)
【手続補正１】
【補正対象書類名】特許請求の範囲
【補正対象項目名】全文
【補正方法】変更
【補正の内容】
【特許請求の範囲】
【請求項１】
Ｕ字型構成のセパロック金具本体をＡとしての説明は、Ａ金具本体は、一枚の長方形の鉄板の長手方向の中央から左向きに、Ｕ字型の二枚間隔幅に折り曲げて固定、Ｕ字型に折り曲げた鉄板の内部幅は、使用されるセパレータ軸の側面をストレートでＵ字型内壁の側面に押し通して、Ｕ字型内壁の側面に接触される内部の二枚の幅間隔に固定、Ｕ字型鉄板の中央より左寄りの上下の鉄板に、Ｂ締付斜面軸ネジを挿し通す貫通穴が固定、Ａ金具本体の貫通穴のサイズは、上穴が、Ｂ締付斜面軸ネジの軸元の外径寸法より僅かに大きいサイズに固定、Ａ金具本体の下穴は上穴より僅かに小さい傾斜角度の穴に固定、上穴と下穴の穴淵の左半分の突端が、Ｂ締付斜面軸ネジの雌ネジの働きであり、Ａ金具本体の上穴と下穴の穴淵の右半分の突端が、Ｂ締付斜面軸ネジ全体が、Ａ金具本体の穴内の下穴方向と右横方向に移動する時の余穴であり、Ａ金具本体の一部に連結用の紐通し部と穴を設けて固定、
スクリュー突起荒ネジの締付斜面軸ネジをＢとしての説明は、Ｂ締付斜面軸ネジは、軸元の一方端に六角頭部が固定、六角頭部の際にネックを設けて、ネックの際から軸先に向いて、軸元の一部が直に固定、直の際から締付斜面軸ネジの突先までが、段々と細く傾斜角度の締付斜面軸ネジに固定、締付斜面軸の外周ネジは、スクリュー突起荒ネジが固定されてあり、締付斜面軸ネジの突先一部を無ネジ軸部に固定されて、Ａ金具本体とＢ締付斜面軸ネジは、連結用の紐で連結されてセットされてあり、
前記、Ａ金具本体とＢ締付斜面軸ネジの使用方法、例えば、梁側の型枠及び箱型の型枠の様に、型枠の内面同士が、間隔を置いて、向き合った型枠の内部面の同じ位置に、ピーコンだけが取付けられて固定、型枠の外部は完全にパイプ締めで固定された後に、型枠の内部に鉄筋が組み込まれて完成された後の作業であり、現状の形の状態でコンクリートを打設される場合の型枠の内部幅を、セパレータで固定する時の説明については、当Ａ金具本体とＢ締付斜面軸ネジについての使用方法は、型枠の内部幅及び、使用するセパレータの寸法には、全く無関係であり、向き合う型枠の内部幅の２分の１以上の長さのセパレータの一方端の雄ネジを、両側の型枠が向き合うピーコンの雌ネジ孔に、セパレータの一方端の雄ネジを螺合して固定、両側の型枠から、内部の中央に伸びるセパレータの一方端が二重にダブって重なった位置のセパレータ軸の側面に、Ａ金具本体のＵ字型開口部から、二重に重なった状態の２本のセパレータ軸の側面を一気に包み込んで、ストレートで、Ｕ字型内壁の側面に２本のセパレータの側面を重ねて押し付けて、Ａ金具本体の上穴から下穴の穴淵の左突端と、右は、セパレータ軸の左軸面との間の貫通穴内に、Ｂ締付斜面軸ネジの突先無ネジ軸部を、Ａ金具本体の上穴から下穴の貫通穴内に挿し通して、Ｂ締付斜面軸ネジの六角頭部を右回転すると、Ｂ締付斜面軸ネジの左の窪みネジ面が、Ａ金具本体の上穴と下穴の穴淵の左突端に、Ｂ締付斜面軸ネジの左の窪みネジ面が接触して設置、Ｂ締付斜面軸ネジの右面が、セパレータ軸の左軸面に接触されて設置、Ｂ締付斜面軸ネジが、Ａ金具本体の上穴から下穴に位置して設置されるところを特徴とするところのＵ字型構成のセパロック金具本体であり、
前記、Ａ金具本体の上穴から下穴に、設置されているＢ締付斜面軸ネジの六角頭部に、該ボックスレンジの工具を挿し込んで右回転すると同時に、Ｂ締付斜面軸ネジの全体が右回転されて、Ａ金具本体の上穴と下穴の穴淵の左突端に、Ｂ締付斜面軸ネジの左の窪みネジ面が接触して位置し、Ｂ締付斜面軸ネジの右面は、セパレータ軸の左軸面に接触して、Ｂ締付斜面軸ネジが、右回転されながら、Ａ金具本体の下穴方向に深く進入されると同時に、Ｂ締付斜面軸ネジの外周が段々と締付斜面軸ネジの傾斜角度に太くなり、Ａ金具本体の上穴と下穴の穴淵の左突端に、Ｂ締付斜面軸ネジの左の窪みネジ面が接触して位置されるから、Ａ金具本体の上穴と下穴の穴淵の左突端で、Ｂ締付斜面軸ネジの左の窪みネジ面が圧されて、Ｂ締付斜面軸ネジの全体が、一方右横方向に圧されて移動されるために、Ｂ締付斜面軸ネジの右面は、セパレータ軸の左軸面に接触されているから、２本のセパレータ軸の側面が、Ｂ締付斜面軸ネジの右軸面で、一方右横方向のＡ金具本体のＵ字型内壁の側面に押し付けられて、２本のセパレータ軸が一つに接触された状態で、Ａ金具本体のＵ字型内壁の側面に、Ｂ締付斜面軸ネジの右軸面で、２本のセパレータの左軸面を一方右横方向に強力に押し付けて、２本のセパレータ軸が、Ｂ締付斜面軸ネジの右軸面と、Ａ金具本体のＵ字型内壁の側面との間に強力に挟まれて、２本のセパレータ軸の軸面同士が一つに接触して固定されて、その場で２本のセパレータがロックして、現状の型枠の状態で、ストレートで２本のセパレータ軸を１本に接触して強力に固定されるところを特徴とするところのＵ字型構成のセパロック金具本体とスクリュー突起荒ネジの締付斜面軸ネジ。
【手続補正書】
【提出日】平成24年5月17日(2012.5.17)
【手続補正１】
【補正対象書類名】特許請求の範囲
【補正対象項目名】全文
【補正方法】変更
【補正の内容】
【特許請求の範囲】
【請求項１】
Ｕ字型構造のセパロック金具本体をＡとしてＡの構造は、一枚の長方形の鉄板の長手方向の中央から、左に折り返しＵ字型の同じ内部間隔幅の二枚に折り曲げて固定、Ｕ字型に折り曲げた鉄板の内幅は、使用するセパレータの軸幅のサイズに合わせてＵ字型開口部の二枚間隔幅に固定、二枚間隔幅に折り曲げたＵ字型鉄板の中央より左寄りに、上穴から下穴に貫通穴が締付斜面軸ネジの傾斜角度の貫通穴が固定、貫通穴のサイズは、上穴がＢ軸元の外径寸法より一回り大きいサイズの穴に固定、下穴のサイズは、上穴より一回り小さい締付斜面軸の傾斜角度の穴に固定、上穴と下穴の穴淵の左半分の突端がＢ締付斜面軸雄ネジの雌ネジであり、上穴と下穴の穴淵の右半分の突端までが、上下の穴淵の左突端に、Ｂ全体が押されて一方右横下方向に移動する時のための空間穴であり、Ｕ字型構造のセパロック金具本体の一部に連結用の紐通し部と穴を設けて固定されたＵ字型構造のセパロック金具本体であり、
スクリュー突起締付斜面軸ネジをＢとしてＢの構造は、軸元の一方端に六角頭部が固定、六角頭部の際にネックを設けて、ネックの際から軸先方向に軸元の一部が直に固定、直の際から締付斜面軸ネジの突先までが段々と細く傾斜角度の斜面軸ネジに固定、斜面軸の突先一部を無ネジ軸部に固定、締付斜面軸の外周にスクリュー突起ネジが固定された斜面軸ネジであり、ＡとＢは、連結用の紐で連結されてセットされてあり、
前記、ＡとＢから成るセパレータをＣとして説明と工法は、Ａ左開口部の正面から、２本重った状態のＣ軸の側面を一気に包み込んで、ストレートでＡＵ字型内壁の側面に２本のＣ軸面を一つに重ねて押し付けて、Ａ上穴と下穴の穴淵の左突端と、Ｃの左軸面との間の空洞穴内に、Ｂ斜面軸の突先無ネジ軸部を挿し通して六角頭部を右回転すると同時に、Ｂが右回転されながら、Ａ上穴と下穴の穴淵の左突端に、Ｂの左窪みネジ面が接触して、Ｂネジ面に沿うって滑らかに右回転されながら、Ａ上穴と下穴の穴淵の左突端に、Ｂが圧されて斜面軸の角度の一方右横下方向に、Ｂ全体が移動されるために、Ｂの右軸面にＣの左軸面が接触されている２本のＣ軸面同士を一つに重ねて、Ｂの右軸面でＣの左軸面を一方右横方向に押し付けて、ＡＵ字型内壁の側面にＣ軸面が固定、２本のＣ軸面を一つに接触して一本に強力に固定するところを特徴とするところのＵ字型構造のセパロック金具本体とスクリュー突起締付斜面軸ネジであり、
前記、ＡとＢから成るセパレータをＣとして型枠に対し、金具の使い方と、その効果、例えば、梁側の型枠の様な状態で、型枠の両側の内部にピーコンだけが固定されて、型枠の外部は、完全にパイプ締めで固定された型枠に対し、型枠の内部幅をＣで固定する場合は、型枠の内部幅及び、Ｃの長さ的寸法には全く無関係であり、両側の型枠に固定されるピーコンの雌ネジ孔に、適当の長さのＣの雄ネジを螺合して固定、両側に固定されたＣの一方端を、二重にダブらせて重ねた状態のＣ軸面に、Ａ，開口部の正面から一気に２本に重ねた状態のＣ軸の側面を包み込んで、ストレートで、ＡＵ字型内壁の側面にＣ軸面を押し付けて、Ａ上穴と下穴の左穴淵と、Ｃ左軸面との間の空洞穴内に、Ｂ斜面軸ネジを挿し通して六角頭部を右回転して、２本のＣ軸を一本に固定するところを特徴とするところのＡとＢで固定されるＣ軸であり、
ＡとＢとＣから成る型枠の効果、両側のピーコンから中央に張り出て２重にダブってあるＣ軸面を、Ａ開口部の正面から一気に包み込んでストレートでＵ字型内壁の側面に２本のＣ軸面を押し付けて、Ａ上穴から下穴に、Ｂ斜面軸ネジを挿し通して六角頭部を右回転するだけで、ＡＵ字型内壁の側面に、２本のＣ軸面同士が一つに接触されて、その場でＣ軸がロックして、現状の型枠の姿の儘で型枠が固定、ＡＵ字型内壁の側面で、２本のＣ軸面を１本に接触して、強力に固定するところを特徴とするところのＵ字型構造のセパロック金具本体とスクリュー突起締付斜面軸ネジ。